(57)【要約】【課題】フラッシュバンド補正を行うと、その補正の仕組み上、同一フレームを連続して出力画像として用いることによる不連続性、また２つの異なるフレームを合成することにより乗じる画像の継ぎ目が発生し、被写体よっては補正画質が劣化するといった課題が有る。【解決手段】フラッシュバンド補正を行った方が良いのか、行わない方が良いのかを撮影前に補正画像をシミュレーションにより確認し、またフラッシュバンド補正を行う輝度変化レベルについてもフラッシュバンド画をシミュレーションすることによりユーザーに容易に設定可能とする。【選択図】  図１
2015126425.tif 000002
【特許請求の範囲】
【請求項１】
撮像素子より所定周期で出力される撮像画像を標準ビデオ信号に変換する信号処理回路と、
ビデオ信号のフレーム画像を構成するライン毎の露光期間の違いとフラッシュ光が被写体を照射することにより生じるフラッシュバンドの、各ライン毎の輝度値を検出する輝度値検出回路と、
輝度値検出回路にて検出された各ライン毎の輝度値と、設定輝度値を比較するレベル比較回路と、
信号処理回路より出力されるフレーム画像信号を所定周期で１フレームづつ記憶するフレームメモリと、
信号処理回路より出力されるフレーム画像信号とフレームメモリに記憶されたフレーム画像を１フレーム期間内で切り替え、接ぎ合わせることにより新たに１フレームの画像として合成する合成回路と、
信号処理回路より出力されるフレーム画像か、フレームメモリに記憶されたフレーム画像か、あるいはそれらの合成画像かのいずれかを出力映像として選択し出力する出力切り替え回路と、
前記レベル比較回路の出力に基づき前記合成回路の画像を合成するための切り替えラインを選択し画像の接ぎ合わせを制御すると共に、前記出力切り替え回路の出力画像を選択すべく出力切り替え回路を制御する制御部と  を備える映像信号処理回路において、
更に輝度検出回路にて検出された各ライン毎の輝度値と比較される設定輝度値を変更するための比較値変更回路と、
比較値変更回路の設定値に応じ出力振幅が可変される波形発生回路と、
撮像信号に波形発生回路出力を重畳する重畳回路からなり、
前記制御部はシミュレートスイッチに切り替えにより、フラッシュバンド補正動作を模擬的に行い、または前記波形発生回路の波形発生を制御することを特徴とする撮像装置。
【請求項２】
前記波形発生回路の波形発生周期は１映像信号期間と等しい、あるいは１映像信号期間に近い周期であることを特徴とする請求項１に記載の撮像装置。
【発明の詳細な説明】
【技術分野】
【０００１】
本発明は、ローリングシャッター方式の撮像素子を備えるカメラにおいて、被写体にフラッシュを照射された場合に映像信号に生じるフラッシュバンドを検出・補正するカメラ信号処理方法に関し、特にフラッシュバンドが撮像信号に与える影響を撮影前に確認する撮像装置に関する。
【背景技術】
【０００２】
従来、特許文献１で提案されているフラッシュバンド処理回路では、ローリングシャッタ方式の撮像素子より得られる撮像信号のライン毎に異なる露光期間の違いと被写体を照明するフラッシュ光とにより生じるライン毎の輝度差であるフラッシュバンドをその開始ラインと終了ラインとして検出するフラッシュバンド検出回路と、さらに、フラッシュバンドが発生した撮像画像をあらかじめフレームメモリに記憶した１映像期間前の撮像画像をに置き換えることによって補正する。
【０００３】
あるいはフラッシュバンドが生じた撮像画像とフレームメモリに記憶した１映像期間前の撮像画像ととをフラッシュバンド検出ラインを境に合成することにってフラッシュバンド画像を補正する。などのフラッシュバンド補正回路の提案がされている。
【０００４】
上記フラッシュバンドの検出回路およびフラッシュバンドの補正回路を含むフラッシュバンド処理回路により、フラッシュバンドを含む撮像信号よりフラッシュバンドの開始ライン及び終了ラインを検出するとともに、検出したフラッシュバンドを対象として１映像期間前のフレームメモリ画を用いフラッシュバンドの補正処理を行うことができる。
【先行技術文献】
【特許文献】
【０００５】
【特許文献１】特開２０１２−１５６６３４号公報
【発明の概要】
【発明が解決しようとする課題】
【０００６】
しかしながら、特許文献１のように１映像期間前のフレームメモリ画像を用いたフラッシュバンド補正をおこなうことによる弊害も生じる。
【０００７】
例えばフラッシュ光が発光しフラッシュバンドの補正が行われた場合に、補正画像に記憶されている１映像期間前のフレームメモリ画を用いると動画としての連続性が損なわれることとなる。動きの速い被写体を撮影している場合にはその影響は顕著に表れる。
【０００８】
同様にフラッシュバンドが生じた撮像画像と１映像期間前のフレームメモリ画像と合成する場合でも同様で、合成の切り替わり目の映像ラインの上下で撮像時間が異なることによる被写体象の位置ズレが生じるといった課題がある。
【課題を解決するための手段】
【０００９】
上記課題を解決するため、本願発明に係る撮像装置は、
撮像素子より所定周期で出力される撮像画像を標準ビデオ信号等に変換する信号処理回路と、ビデオ信号のフレーム画像を構成するライン毎の露光期間の違いとフラッシュ光が被写体を照射することにより生じるフラッシュバンドの、各ライン毎の輝度値を検出する輝度値検出回路と、輝度値検出回路にて検出された各ライン毎の輝度値と、設定輝度値を比較するレベル比較回路と、
信号処理回路より出力されるフレーム画像信号を所定周期で１フレームづつ記憶するフレームメモリと、信号処理回路より出力されるフレーム画像信号とフレームメモリに記憶されたフレーム画像を１フレーム期間内で切り替え、接ぎ合わせることにより新たに１フレームの画像として合成する合成回路と、信号処理回路より出力されるフレーム画像か、フレームメモリに記憶されたフレーム画像か、あるいはそれらの合成画像かのいずれかを出力映像として選択し出力する出力切り替え回路と、前記レベル比較回路の出力に基づき前記合成回路の画像を合成するための切り替えラインを選択し画像のの接ぎ合わせを制御すると共に、前記出力切り替え回路の出力画像を選択すべく出力切り替え回路を制御する制御部と  を備える映像信号処理回路において、更に輝度検出回路にて検出された各ライン毎の輝度値と比較される設定輝度値を変更するための比較値変更回路と、比較値変更回路の設定値に応じ出力振幅が可変される波形発生回路と、撮像信号に波形発生回路出力を重畳する重畳回路からなる。
【発明の効果】
【００１０】
本発明によれば、ローリングシャッター方式の撮像素子を備えるカメラにおいて、被写体にフラッシュを照射された場合に映像信号に生じるフラッシュバンドの補正後の映像出力画像を容易に確認することができる。
【００１１】
またフラッシュバンドの補正動作を実行するストロボ光による映像信号変化スレッシュレベルをも容易に設定することが可能となる。
【図面の簡単な説明】
【００１２】
【図１】本発明の第１の実施形態に係わる撮像装置の構成を示すブロック図である。
【図２】本発明の第１の実施形態に係わる撮像装置の動作を説明するタイミングチャートである。
【図３】本発明の第１の実施形態に係わる撮像装置の動作を説明するタイミングチャートである。
【図４】本発明の第１の実施形態に係わる撮像装置の動作を説明するフローチャートである。
【図５】本発明の第１の実施形態に係わる撮像装置の動作を説明するタイミングチャートである。
【図６】本発明の第１の実施形態に係わる撮像装置の動作を説明するフローチャートである。
【図７】本発明の第２の実施形態に係わる撮像装置の動作を説明するタイミングチャートである。
【発明を実施するための形態】
【００１３】
以下、添付図面を参照して、本発明の好適な実施形態について説明する。
【００１４】
＜第１の実施形態＞
図１は、第１の実施形態に係る撮像装置の構成を示すブロック図である。１０１は撮像光学系を構成するレンズであり、撮像面へ被写体象を結像する。１０２は光学像を電気信号に変換するローリングシャッター方式のＣＭＯＳセンサでレンズ１０１にて結像される画像を光電変換する。１０３はカメラ信号処理回路であり、撮像素子１０２で光電変換された撮像信号を例えば標準ビデオ信号等に変換処理する。
【００１５】
１０４、１０５は輝度値検出回路であり、入力されるビデオ信号を構成する各ラインの輝度を検出する。各ラインの輝度の検出方法については、そのラインにおける輝度レベルの平均値、あるいは最大値を算出することにより検出する。１０６はビデオ信号を１映像期間遅延させるためのフレームメモリ。１０７は輝度値検出回路１０４、１０５から出力される各ラインの輝度検出結果を各ライン毎にその差分値を減算演算により求める減算器。１０８は減算器１０７から入力される差分値と比較値変更部１３３より入力される比較対象値と比較し、比較結果として比較対象値との大小関係を出力するレベル比較回路。
【００１６】
１０９、１１０はビデオ信号を１映像期間遅延させるためのフレームメモリ。１１１はフレームメモリ１０９およびフレームメモリ１１０から入力される同期したビデオ信号を設定されたラインを境に切り替え出力することにより、２つのビデオ信号のフレーム画像から新たに１フレームの画像として合成する合成回路。１１２はフレームメモリ１１０にて１映像期間遅延したビデオ信号のフレーム画像か、フレームメモリ１０６および１０９にて２映像期間遅延したビデオ信号のフレーム画像か、あるいは合成回路１１１にて合成された画像かのいずれかを出力映像として選択出力する出力切り替え回路。
【００１７】
１３１はフラッシュバンドをシミュレートするシミュレートスイッチ、１３２は決定スイッチ、１３３はボリューム等で構成される比較値変更部で共にユーザーが操作する操作部１３０に配置されている。１１３は所定のレベルと０との２値のパルス波信号を所定の周期で出力する波形発生回路。１１４は出力切り替え回路１１０より入力されるビデオ信号と、波形発生回路１１４より入力される２値のパルス波信号を加算する加算器。１１５は加算器１１５にて加算されたビデオ信号を再生するモニタ。１２０は操作部１３０からの操作と入力されたレベル比較回路１０８の各ラインのレベル比較結果に基づき、合成回路１１１の画像を合成するための切り替えラインを選択し画像の接ぎ合わせを制御するマイクロコンピュータ等で構成される制御部である。
【００１８】
更に制御部１２０は入力されたレベル比較回路１０８の各ラインのレベル比較結果に基づき、前記出力切り替え回路１１２の出力画像を選択すべく出力切り替え回路を制御する。また制御部は操作部１３０からの操作に基づき波形発生器１１３の波形出力性制御する。
【００１９】
このようにした第１の実施形態に係る撮像装置において、撮像光学系１０１を通じ結像した被写体象はＣＭＯＳセンサ１０２より光電変換され、ビデオ信号処理回路１０３にて連続したフレーム画像で構成されるビデオ信号として出力される。このビデオ信号はフレーム画像を構成する各ライン毎の輝度値を検出すべく輝度値検出回路１０４、およびフレームメモリ１０６にて１映像期間遅延した後に輝度値検出回路１０５にそれぞれ入力され、各ライン毎の輝度値を出力する。
【００２０】
輝度値検出回路１０４、１０５で得られた各ラインの輝度値は減算器１０７で差分をとり、１映像期間の時間差がある各ラインの輝度レベルの差分値としてレベル比較回路１０８に入力される。レベル比較回路１０８は入力された１映像期間の時間差があるラインの輝度レベルの差分値より比較値変更部１３３より入力される比較設定値を基準に各ラインの輝度差を比較し、各ライン毎の輝度差の比較設定値に対する大小関係を出力する。
【００２１】
制御部１２０はレベル比較回路１０８より得られる １映像期間時間の遅延がある各ライン間の輝度レベルの差分値よりフラッシュの発光に伴うフレーム内の被写体輝度の変化の有無、および輝度変化が生じたラインを判定する。制御部１２０は更に輝度変化が生じたフレームを映像出力として出力しないように、出力する映像信号をフレームメモリ１０９、１１０あるいは合成回路１１１のいずれかの出力を選択するために出力切り替えスイッチ１１２を切り替える。
【００２２】
制御部１２０は更に輝度変化が生じたフレームを映像出力として出力しないように、フレームメモリ１０９、１１０の画像を輝度変化が生じたラインを境に接ぎ合わせを行うべく合成回路１１１に結合情報を出力する。制御部１２０はシミュレートスイッチ１３１の操作により波形発生器１１３の出力を制御する。これら制御部１２０による制御は後述のタイミングチャートおよびフローチャートを用い説明する。波形発生器１１３は比較値変更部１３３にて設定された比較設定値に基づきパルス波を発生する。このパルス波は加算器１１４にてビデオ信号に重畳されモニタ１１５に供給される。
【００２３】
図２のタイミングチャートを用いて制御部１２０を含めたフラッシュバンドの検出手法について説明する。２０１、２０２の２軸で構成されるグラフはＣＭＯＳセンサ１０２の蓄積動作時におけるフラッシュ光の影響を説明するグラフである。横軸に示す２０１は時間軸を示し、縦軸に示す２０２はＣＭＯＳセンサ１０２を構成する画素のライン数を示している。２１１、２２２、２２３、２２４はＣＭＯＳセンサ１０２の各ラインにおける蓄積期間を示しており、例えば２１１最上部はＣＭＯＳセンサ１０２を構成する画素ラインの１ライン目であり、２１１最下部はＣＭＯＳセンサ１０２を構成する画素ラインの最終ラインである。
【００２４】
ローリングシャッター方式のＣＭＯＳセンサ１０２はその構造上各ライン毎の蓄積時間が異なり、１ライン目が最初に蓄積が開始され、その後隣接するライン毎に順次蓄積が開始され、最終ラインがそのフレーム内では最後に蓄積が開始される。２０３はフラッシュの発光タイミングを示している。フラッシュが発光すると、その時間に蓄積が行われている各ラインに影響が生じ、同図に示すようにフレーム間をまたがる場合には、同図グレーで示すように先行する２フレーム目２１２の後ろ側のラインと、次に続く３フレーム目２１３の前側のラインがフラッシュ光の影響を受ける。
【００２５】
これらＣＭＯＳセンサ１０２に蓄積された撮像信号が出力されるとカメラ信号処理回路１０３にてビデオ信号２２１、２２２、２２３、２２４として出力される。フラッシュ光の影響はビデオ信号の２フレーム目２２２と３フレーム目２２３にまたがり、それぞれグレーで示す領域のビデオ信号が影響を受け、輝度レベルが高くなっている。
【００２６】
上記ビデオ信号２２１、２２２、２２３、２２４は輝度検出回路１０４、および１０５によって各ライン毎の輝度値に変換される。輝度検出回路１０４、１０５によって各ライン毎の輝度値に変換した結果を同図の２５１、２５２、２５３、２５４に示す。
【００２７】
同図の２０５はグラフの縦軸で輝度値を示し、２０６は縦軸の０の値である。２０７はグラフの横軸で垂直ライン数を示している。グラフ２５１は均一輝度の被写体を撮影している状態で、各ライン共に一定の輝度レベルを示している。グラフ２５２はビデオ信号２２２に対応した輝度信号を示しており、画面下部にあたるラインの輝度がフラッシュ光の影響により高くなっている。グラフ２５３も同様にビデオ信号２２３に対応した輝度信号を示しており、画面上部にあたるラインの輝度がフラッシュ光により高くなっている。
【００２８】
さらに輝度検出回路１０４、１０５より出力された各ライン毎の輝度値２６１、２６２、２６３、２６４は減算器１０７にてその差分を算出する。本実施形態では輝度検出回路１０４より輝度検出回路１０５を減ずる演算を行う。減算器１０７の減算結果である輝度差を同図の２６１、２６２、２６３、２６４に示す。
【００２９】
同図の２３１はグラフの縦軸で輝度差分を支援し、２３２は縦軸の０の値である。２３３はグラフの横軸で垂直ライン数を示している。グラフ２６１は各ライン毎の輝度値２６１と不図示の輝度値２６１の１映像期間前の輝度値から算出された輝度差であり、フラッシュ光による輝度変化の影響が無い場合にはライン毎の輝度値の差は無く演算結果は０となる。
【００３０】
グラフ２６２に示す輝度差はライン毎の輝度値２６２からライン毎の輝度値２６１を減じることで求められている。グラフ２６３、２６４に示す輝度差についても同様に１映像期間前の各ライン毎の輝度より差分を算出することで求めることができる。輝度差２６１、２６２、２６３、２６４はレベル比較回路１０８にて比較対象値と比較され比較結果を出力する。
【００３１】
比較対象値を同図の２３４に示す輝度差の値とすると、２３５に示す１映像期間相当のライン数分について比較対象値２３４を超えており、この期間がフラッシュ発行による輝度変化が生じているライン、すなわちフラッシュバンドによる輝度変化ラインであるということが言える。
【００３２】
同図においてはビデオ信号２フレーム目２２２の後半より３フレーム目２２３の前半までがフラッシュバンド期間となる。
【００３３】
次に検出されたフラッシュバンドによる輝度変化ラインより、フラッシュバンドを補正する動作について図３に示すタイムチャートを用いて説明する。なお、上記説明の図２との共通部分については同一の番号を付す。２０１、２０２の２軸で構成されるグラフはＣＭＯＳセンサ１０２の蓄積動作時におけるフラッシュ光の影響を説明するグラフである。横軸に示す２０１は時間軸を示し、縦軸に示す２０２はＣＭＯＳセンサ１０２を構成する画素ライン数を示している。
【００３４】
２１１、２２２、２２３、２２４はＣＭＯＳセンサ１０２の各ラインにおける蓄積期間を示しており、前記図２同様に２１１最上部はＣＭＯＳセンサ１０２を構成する画素ラインの１ライン目であり、２１１最下部はＣＭＯＳセンサ１０２を構成する画素ラインの最終ラインである。２０３はフラッシュの発光タイミングを示している。フラッシュが発光すると、その時間に蓄積が行われている各ラインに影響が生じ、同図に示すようにフレーム間をまたがる場合には、同図グレーで示すように先行する２フレーム目２１２の後ろ側のラインと、次に続く３フレーム目２１３の前側のラインがフラッシュ光の影響を受ける。
【００３５】
これらＣＭＯＳセンサに蓄積された撮像信号はカメラ信号処理回路１０３にてビデオ信号２２１、２２２、２２３、２２４として出力される。前記フラッシュバンドの検出結果より、ビデオ信号２フレーム目２２２の後半より３フレーム目２２３の前半までがフラッシュバンド発生期間となっている。これらの検出結果に基づきフラッシュバンドを補正するために制御部１２０は出力切り替え回路１１２および合成回路１１１を制御する。
【００３６】
先ずフラッシュバンドが検出されない場合には出力切り替え器１１２を制御しフレームメモリー１１０から得られる１映像期間遅延したフレーム画像をモニタ１１５に出力する。上記は同図においてフラッシュバンドの影響を受けないビデオ信号２２１が得られた場合にはそのフレーム画像を選択出力画像２７１とすることとなる。
【００３７】
次にフラッシュバンドが検出された場合には出力切り替え器１１２を制御しフレームメモリ１０９から得られる２映像期間遅延したフレーム画像を置き換え出力する。
【００３８】
上記のフレーム画像の置き換えによる補正は同図においてフラッシュバンドの影響を受けていないビデオ信号２２１を２映像期間遅延しフレーム画像を選択出力画像２７２を得る。さらに次フレームについては合成回路１１１を制御しフレームメモリ１１０より得られるフレーム画像とフレームメモリ１０９より得られるフレーム画像とをライン輝度変化が生じるラインで切り替え合成する。
【００３９】
上記のフレーム画像の合成についてはビデオ信号２２２およびビデオ信号２２３を同図に示すように、フラッシュバンドによる輝度変化部分を境に切り替え合成することによりフラッシュバンドによる輝度変化を補正したフレーム画像を作成し、選択出力画像２３７を得る。これらの制御部１２０の動作を図４に示すフローチャートを用いて説明する。
【００４０】
４０１：フラッシュバンドを検出補正するフローチャートの始まりで、１映像期間に同期した繰り返し周期で実行される。
【００４１】
４０２：レベル比較回路１０８の出力により撮像しているビデオ信号にフラッシュバンドによる所定レベル以上の輝度変化が発生したか否かを判定する。所定レベル以上の輝度変化が無い場合には４０３へ、所定レベル以上の輝度変化が有る場合には４０４へ。
【００４２】
４０３：所定レベル以上の輝度変化が無い場合にはフラッシュバンドによる輝度変化は無いとして、１映像期間遅延したフレームメモリ画像を出力すべく出力切り替え回路１１２がフレームメモリ１１０を選択するよう切り替える。
【００４３】
４０４：所定レベル以上の輝度変化が有る場合にはフラッシュバンドによる輝度変化が生じたとしてフラッシュバンド補正を行うべく、判定しているフレーム画像がフラッシュバンドを生じた１フレーム目か、あるいは２フレーム目かを判定する。判定方法は判定を行っている該当フレームにおける各ライン毎の輝度変化を検出することにより可能で、各ライン毎の輝度変化が生じた場合には１フレーム目であり、反対に各ライン毎の輝度変化が解消した場合には２フレーム目となる。１フレームであるならば４０５へ、２フレーム目であるならば４０６へ。
【００４４】
４０５：フラッシュバンドによる輝度変化はが生じているため、その影響を受けていない２映像期間遅延したフレームメモリ画像を出力すべく出力切り替え回路１１２がフレームメモリ１０９を選択するよう切り替える。
【００４５】
４０６：フラッシュバンドによる輝度変化はが生じているため、フラッシュバンドの補正画像を出力すべく出力切り替え回路１１２が補正画像を生成する合成回路１１１を選択するよう切り替える。
【００４６】
４０７：合成回路１１１によりフレームメモリ１０９、１１０のフレーム画像を読み出しつつ、フラッシュバンドによる輝度変化が生じたラインで切り替えることによりフラッシュバンド補正フレーム画像を生成する。
【００４７】
４０８：このフローチャートの終了。
【００４８】
次にフラッシュバンド補正による撮像画像への影響度合いの事前確認、およびフラッシュバンド補正を行う輝度変化量の調整について説明する。
【００４９】
ユーザーが操作するユーザー操作部１３０に配されているシミュレートスイッチ１３１をユーザが操作することにより制御部１２０はフラッシュバンドの検出動作を停止する。また同時に合成回路１１１および出力切り替え器１１２の動作をフラッシュバンド補正時と同様の動作を行い、フラッシュバンド補正が実行されたのと等価なビデオ出力を生成し、モニタ１１５に出力する。このフラッシュバンド補正時の動作はユーザーが次の操作を行うまで繰り返し行っても良い。
【００５０】
フラッシュバンド補正と等価なビデオ信号出力をモニタで確認するいわゆるフラッシュバンド補正のシミュレーションにより、フラッシュバンド補正処理がビデオ映像に与える影響を事前に確認することが可能となる。
【００５１】
さらにフラッシュバンド補正処理が撮像ビデオ信号に与える影響が無視できない場合、決定スイッチ１３２の操作により以下の動作にてフラッシュバンドによるライン毎の輝度変化がビデオ信号に与える影響を確認することができる。決定スイッチ１３２の操作によりフラッシュバンド補正のシミュレーション動作は停止する。同時に波形発生器１１３よりビデオ信号に同期した周期のパルス波信号が出力される。波形発生器１１３にて発生したパルス波信号は加算器１１４にてフラッシュバンド補正を施さないビデオ信号に重畳されモニタ１１５に出力される。
【００５２】
パルス波発生機１１３で発生するパルス波と重畳されたビデオ信号の関係を図５を用いて説明する。
【００５３】
同図に示す５１１はパルス波発生機１１３の出力信号レベルを示すグラフの縦軸、５１２は時間軸である。パルス波発生回路１１３は破線で示す１映像期間の整数倍に同期した１映像期間相当の時間のみＨｉレベルを取るパルス波５０２を発生する。パルス波５０２は加算器１１４にてビデオ信号に重畳され、同図の５０３〜５０８に至るビデオ信号を得る。ここで５０３〜５０８に示すグレー部分は加算されたパルス波５０２によりその輝度レベルが高くなった部分である。
【００５４】
ビデオ信号にフラッシュバンドに相当する輝度変化を与え、較値変更部１３３を操作することにより、波形発生器１１３出力を増減させ、ビデオ信号に重畳するパルス波の振幅が合わせて変化し、フラッシュバンドの光量差による被写体への影響を確認することができる。
【００５５】
また比較値変更部１３３の変更値はレベル比較回路１０８にも入力され、フラッシュバンド検出時には上記のフラッシュバンドの光量差による被写体への影響確認により設定した被写体輝度変化相当を比較設定値としてレベル比較器１０８による輝度レベル比較が実行される。
【００５６】
さらに決定スイッチ１３２を操作することにより、本シミュレーションが終了する。
【００５７】
上記の制御部１２０の動作を図６に示すフローチャートを用いて説明する。
【００５８】
６０１：本フラッシュバンドシミュレーションフローの開始で、ビデオ同期期間等の所定周期で本フローが実行される。
【００５９】
６０２：シミュレートスイッチ１３１の操作がされたか否かを確認する。操作がされると６０２へ、押されない場合６１２へ。
【００６０】
６０３：フラッシュバンドの検出動作を停止する。
【００６１】
６０４：フラッシュバンド補正動作のシミュレーションを実行する。
【００６２】
６０５：フラッシュバンド補正が撮像画に与える影響の有無を確認し、その結果による決定スイッチ１３２を操作する。フラッシュバンド補正が撮像画に与える影響が問題無い場合はスイッチ操作をＯＫとし、６０６へ、撮像画に与える影響が有る場合にはスイッチ操作をＮｏとし６０７へ。
【００６３】
６０６：フラッシュバンド補正動作のシミュレーションを終了する。
【００６４】
６０７：フラッシュバンド補正動作のシミュレーションを終了する。
【００６５】
６０８：波形発生器１１３からパルス波を発生する。
【００６６】
６０９：比較値変更部１３３のユーザー操作に伴い波形発生器１１３から出力されるパルス波の振幅およびレベル比較回路１０８の比較設定値が変更される。
【００６７】
６１０：ユーザーがモニタ１１５にてフラッシュバンドの影響を確認し、決定スイッチ１３２を操作する。比較値変更部１３３の設定レベル操作が完了した場合にはＯＫとし６１１へ、比較値変更部１３３の設定レベル操作が未完了の場合は６０８へ。
【００６８】
６１１：波形発生器１１３からパルス波を停止する。
【００６９】
６１２：フラッシュバンド検出動作を再開する。
【００７０】
６１３：本フローの終了
以上のように、フラッシュバンド補正を補正シミュレーションを用いることにより、モニタ上で撮像画像に与える影響を事前に確認することができる。
【００７１】
また、波形発生器１１３からパルス波を発生させビデオ信号に重畳することで疑似的なフラッシュバンド画像を確認するとともに、比較値変更部１３３を操作することにより許容するフラッシュバンド＝フラッシュバンド補正閾値を設定することもできる。
【００７２】
＜第２の実施形態＞
本発明の第２の実施形態について説明する。第１の実施形のフラッシュバンド画のシミュレーション動作を実行するにおいて、その画像を重畳する輝度信号のパターンによる瞬き画像とせずに、常に同一位置とすることに特徴がある。
【００７３】
パルス波発生機１１３で発生するパルス波と重畳されたビデオ信号の関係を図７を用いて説明する。
【００７４】
同図に示す７１１はパルス波発生機１１３の出力信号レベルを示すグラフの縦軸、７１２は時間軸である。パルス波発生回路１１３は破線で示す１映像期間に同期した所定のパルス波７０２を発生する。パルス波７０２は加算器１１４にてビデオ信号に重畳され、同図の７０３〜７０８に至るビデオ信号を得る。ここで７０３〜７０８に示す部分は加算されたパルス波７０２によりその輝度レベルが高くなった部分である。
【００７５】
このようにビデオ信号に帯状の輝度変化を与えたフラッシュバンドシミュレーション動作にて比較値変更部１３３を操作することにより、波形発生器１１３出力を増減する。また重畳するパルス波を毎映像毎に同一にすることにより、フラッシュバンドシミュレーション動作における瞬き映像を用いることなくフラッシュバンドが画像に与える影響を確認することができるため、瞬き映像を連続的に視ることによる健康面の影響も軽減できる。
【００７６】
なお、重畳するパルス波は必ずしもビデオ信号の映像期間に同期せずともよく、パルス波の繰り返し周波数をビデオ信号の同期期間よりわずかにずらすことにより、重畳するフラッシュバンドの模擬信号が上下に移動するように設定しても良い。
【００７７】
（他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００７８】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００７９】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
【００８０】
その場合、プログラムの機能を有していれば、オブジェクトコード、インタプリタにより実行されるプログラム、ＯＳに供給するスクリプトデータ等、プログラムの形態を問わない。
【００８１】
プログラムを供給するための記録媒体としては、例えば、ハードディスク、磁気テープ等の磁気記録媒体、光／光磁気記憶媒体、不揮発性の半導体メモリでもよい。
【００８２】
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【００８３】
以上説明したように、本発明によれば、フラッシュバンド補正による撮像画の不連続性が撮像画に与える影響をシミュレーションにより撮影前に確認することができ、またまたフラッシュバンド補正を行う被写体の輝度変化レベルについてもフラッシュバンド画をシミュレーションすることによりユーザーに容易に設定可能とすることができる。
【符号の説明】
【００８４】
１０１  撮像光学系
１０２  ＣＭＯＳセンサ
１０３  カメラ信号処理回路
【図１】
2015126425.tif 000003
【図２】
2015126425.tif 000004
【図３】
2015126425.tif 000005
【図４】
2015126425.tif 000006
【図５】
2015126425.tif 000007
【図６】
2015126425.tif 000008
【図７】
2015126425.tif 000009